(57)【要約】      （修正有）【課題】簡単に組み立てられ、内部に突起物が生じないでしかも底面パネルを簡単に折り畳むことができる段ボール箱を提供する。【解決手段】段ボール箱の底面パネル片のうち互いに対面する２つの底面パネル片２２ａ、２２ｂに、曲線状の切欠４１ａ、４１ｂを設ける。これによって、折り畳んだ部分の頂点が曲線状になるため、段ボール箱に物品を収納する際に、邪魔な突起物が生じることがない。また、底面パネル片に、切込とミシン目とを交互に設けておくと、底面パネルを組み立てるときに、底面パネルの切込とミシン目の部分を簡単に折り畳むことができる。【選択図】図１
0003132810.tif 000002
【実用新案登録請求の範囲】
【請求項１】
互いに連接し各連接部分に折線を有する４つの側面パネル片と、
前記４つの側面パネル片のそれぞれの下方に折線を介して連接する４つの底面パネル片と、
前記４つの側面パネル片のそれぞれの上方に折線を介して連接する４つの蓋面パネル片とを備え、
前記底面パネル片のうち互いに対面する２つの底面パネル片に、前記底面パネル片の縁部の中心を頂点とし、前記底面パネル片と前記側面パネル片との接線を底辺とする三角形状の折線を設けると共に、前記三角形状の折線の頂点に、曲線状の切欠を設けるようにしたことを特徴とする段ボール箱。
【請求項２】
前記曲線状の切欠は、前記縁部の中心と対向する第１の切込線と、前記第１の切込線の一端から前記縁部に向かう第２の切込線と、前記第１の切込線の他端から前記縁部に向かう第３の切込線とにより囲まれ、前記第１の切込線と前記第２の切込線及び前記第１の切込線と前記第３の切込線は、それぞれ、前記三角形状の折線を対称軸として、対応する形状となっていることを特徴とする請求項１に記載の段ボール箱。
【請求項３】
さらに、前記三角形状の折線に、ミシン目を設けるようにしたことを特徴とする請求項１に記載の段ボール箱。
【請求項４】
さらに、前記側面パネル片と前記底面パネル片との間の折線に、所定長毎に、切込とミシン目とを交互に設けることを特徴とする請求項１に記載の段ボール箱。
【考案の詳細な説明】
【技術分野】
【０００１】
本考案は、包装用の段ボール箱に関するもので、特に、組み立てが簡単で、箱の内部に邪魔な突出物が生じないようにしたものに関する。
【背景技術】
【０００２】
従来、段ボール箱としては、４つの側面パネル片により四角筒状の胴部を形成し、この胴部の下辺から延設された底面パネル片を内側に折り曲げて、ステープルや粘着テープで固定するようなものが用いられている。
【０００３】
図７は、従来の段ボール箱１０１ａの展開図を示すものである。図７において、側面パネル片１１１ａ及び１１１ｂは、段ボール箱１０１ａを組み立てたときに互いに対面する長辺側のパネル片である。側面パネル片１１２ａ及び１１２ｂは、段ボール箱１０１ａを組み立てたときに互いに対面する短辺側のパネル片である。側面パネル片１１１ａ、１１２ａ、１１１ｂ、１１２ｂは互いに連接している。
【０００４】
側面パネル片１１１ａと側面パネル片１１２ａとの間には折線１１３ａが設けられ、側面パネル片１１２ａと側面パネル片１１１ｂとの間には折線１１３ｂが設けられ、側面パネル片１１１ｂと側面パネル片１１２ｂとの間には折線１１３ｃが設けられる。側面パネル片１１１ａの側縁には、接続フラップ１１８が延設されており、側面パネル片１１１ａと接続フラップ１１８との間には、折線１１３ｄが設けられる。
【０００５】
側面パネル片１１１ａの下側に底面パネル片１２１ａが延設され、側面パネル片１１１ａの上側に蓋面パネル片１３１ａが延設される。側面パネル片１１１ａと底面パネル片１２１ａとの間には折線１１４ａが設けられ、側面パネル片１１１ａと蓋面パネル片１３１ａとの間には折線１１５ａが設けられる。
【０００６】
側面パネル片１１２ａの下側に底面パネル片１２２ａが延設され、側面パネル片１１２ａの上側に蓋面パネル片１３２ａが延設される。側面パネル片１１２ａと底面パネル片１２２ｂとの間には折線１１４ｂが設けられ、側面パネル片１１２ａと蓋面パネル片１３２ａとの間には折線１１５ｂが設けられる。
【０００７】
側面パネル片１１１ｂの下側に底面パネル片１２１ｂが延設され、側面パネル片１１１ｂの上側に蓋面パネル片１３１ｂが延設される。側面パネル片１１１ｂと底面パネル片１２１ａとの間には折線１１４ｃが設けられ、側面パネル片１１１ｂと蓋面パネル片１３１ｂとの間には折線１１５ｃが設けられる。
【０００８】
側面パネル片１１２ｂの下側に底面パネル片１２２ｂが延設され、側面パネル片１１２ｂの上側に蓋面パネル片１３２ｂが延設される。側面パネル片１１２ｂと底面パネル片１２２ｂとの間には折線１１４ｄが設けられ、側面パネル片１１２ｂと蓋面パネル片１３２ｂとの間には折線１１５ｄが設けられる。
【０００９】
底面パネル片１２１ａと底面パネル片１２２ａとの間は切断されており、底面パネル片１２２ａと底面パネル片１２１ｂとの間は切断されており、底面パネル片１２１ｂと底面パネル片１２２ｂとの間は切断されている。
【００１０】
蓋面パネル片１３１ａと蓋面パネル片１３２ａとの間は切断されており、蓋面パネル片１３２ａと蓋面パネル片１３１ｂとの間は切断されており、蓋面パネル片１３１ｂと蓋面パネル片１３２ｂとの間は切断されている。
【００１１】
図８は、従来の段ボール箱１０１ａの組み立て工程を示すものである。段ボール箱１０１ａを組み立てる際には、接続フラップ１１８と、側面パネル片１１２ｂとを接着し、図８（Ａ）に示すように、四角筒状の胴部を形成する。そして、図８（Ｂ）に示すように、底面パネル片１２２ａ及び１２２ｂを内側に折り曲げ、更に、底面パネル片１２１ａ及び１２１ｂを内側に折り曲げる。そして、図８（Ｃ）に示すように、底面パネル片１２１ａと底面パネル片１２１ｂとを、粘着テープ１４０で固定する。なお、粘着テープ１４０の代わりに、ステープルで固定してもよい。
【００１２】
かかる従来の段ボール箱では、組み立ての際に、底面パネル片１２２ａ及び１２２ｂを内側に折り曲げ、さらに、底面パネル片１２１ａ及び１２１ｂを内側に折り曲げ、底面パネル片１２１ａと底面パネル片１２１ｂとを粘着テープ１４０で固定する作業が必要である。
【００１３】
そこで、例えば特許文献１には、図９に示すように、段ボール箱の底面部を構成する４つのパネル片において、互いに対面する２つのパネル片に、そのパネル片が繋がる側面パネル片との接線を底辺とする三角形状の折り目を有するようにして、組み立てを容易とすると共に、収納物の重量にも確実に耐えるようにした段ボール箱１０１ｂが提案されている。
【００１４】
すなわち、特許文献１に示される段ボール箱１０１ｂでは、図９に示すように、底面パネル片１２１ａ、底面パネル片１２２ａ、底面パネル片１２１ｂ、底面パネル片１２２ｂとは、全て、連結される。そして、底面パネル片１２１ａと底面パネル片１２２ａとの間に折線１２３ａが形成され、底面パネル片１２２ａと底面パネル片１２１ｂとの間に折線１２３ｂが形成され、底面パネル片１２１ｂと底面パネル片１２２ｂとの間に折線１２３ｃが形成される。側面パネル片１１１ａの側縁に接続フラップ１１８ａが設けられると共に、底面パネル片１２１ａの側縁に接続フラップ１１８ｂが設けられ、底面パネル片１２１ａと接続フラップ１１８ｂとの間に折線１２３ｄが設けられる。
【００１５】
また、底面パネル片１２２ａの縁部の中点から折線１１４ｂの両端との間に、折線１２５ａ及び折線１２５ｂがそれぞれ設けられる。また、底面パネル片１２２ｂの縁部の中点から折線１１４ｄの両端との間に、折線１２５ｃ及び折線１２５ｄがそれぞれ設けられる。
【００１６】
このような段ボール箱１０１ｂを組み立てる際には、接続フラップ１１８ａ及び１１８ｂと、側面パネル片１１２ｂ及び底面パネル片１２２ｂの側縁とを接着し、図１０（Ａ）に示すように、四角筒状の胴部を形成する。そして、底面パネル片１２２ａ及び底面パネル片１２２ｂを内側に押し込む。
【００１７】
底面パネル片１２２ａには、三角形の折線１２５ａ及び折線１２５ｂが設けられ、底面パネル片１２２ｂには、三角形の折線１２５ｃ及び折線１２５ｄが設けられているので、底面パネル片１２２ａ及び底面パネル片１２２ｂを内側に押し込むと、折線１２５ａ及び折線１２５ｂ、折線１２５ｃ及び折線１２５ｄに沿って、底面パネル片１２２ａ及び底面パネル片１２２ｂが三角形状に折り畳まれる。
【００１８】
折線１２５ａ及び折線１２５ｂ、折線１２５ｃ及び折線１２５ｄに沿って、底面パネル片１２２ａ及び底面パネル片１２２ｂを三角形状に折り畳んでいくと、図１０（Ｂ）に示すように、底面パネル片１２１ａ及び１２１ｂが内側に閉じ、段ボール箱１０１ｂの底面パネル片が組み立てられる。底面パネル片１２１ａ及び１２１ｂが内側に閉じたら、図１０（Ｃ）に示すように、底面パネル片１２１ａと底面パネル片１２１ｂとを、粘着テープ１４０で固定する。
【００１９】
このように、特許文献１に示される段ボール箱では、底面パネル片１２２ａ及び底面パネル片１２２ｂを内側に押し込み、折線１２５ａ及び折線１２５ｂ、折線１２５ｃ及び折線１２５ｄに沿って底面パネル片１２２ａ及び底面パネル片１２２ｂを三角形状に折り畳み、底面パネル片１２１ａ及び１２１ｂが内側に閉じて、粘着テープ１４０で固定するだけで、簡単に底面パネルが形成できる。
【特許文献１】特開２００１−９７３５８号公報
【考案の開示】
【考案が解決しようとする課題】
【００２０】
しかしながら、特許文献１に示される段ボール箱１０１ｂでは、図１１に示すように、段ボール箱１０１ｂの底面の内側には、三角形に折り畳んだ部分１７１ａ及び１７１ｂが生じる。
【００２１】
すなわち、図１１は、組み立てた段ボール箱１０１ｂの内部を上から見たものである。図１１に示すように、段ボール箱１０１ｂの底面の内側には、三角形に折り畳んだ部分１７１ａ及び１７１ｂが生じる。この三角形に折り畳んだ部分１７１ａ及び１７１ｂは、折線１２５ａ及び折線１２５ｂ、折線１２５ｃ及び折線１２５ｄに沿って、底面パネル１２２ａ及び１２２ｂ折り畳んだことにより生じるもので、三角形の形状となる。このように、三角形の形状の部分１７１ａ及び１７１ｂが箱の内部に生じると、箱の内部に物を収納する際に、三角形の頂点の突起物１７１ａ及び１７２ｂが邪魔になり、段ボール箱１０１ｂの中に物品を収納に邪魔になりという問題がある。
【００２２】
本考案は、上述の課題を鑑み、簡単に組み立てられると共に、箱の内部に突起物が生じることがないようにした段ボール箱を提供することを目的とする。
【課題を解決するための手段】
【００２３】
上述の課題を解決するために、本考案は、互いに連接し各連接部分に折線を有する４つの側面パネル片と、４つの側面パネル片のそれぞれの下方に折線を介して連接する４つの底面パネル片と、４つの側面パネル片のそれぞれの上方に折線を介して連接する４つの蓋面パネル片とを備え、底面パネル片のうち互いに対面する２つの底面パネル片に、底面パネル片の縁部の中心を頂点とし、底面パネル片と側面パネル片との接線を底辺とする三角形状の折線を設けると共に、三角形状の折線の頂点に、曲線状の切欠を設けるようにしたことを特徴とする。
【００２４】
好ましくは、曲線状の切欠は、縁部の中心と対向する第１の切込線と、第１の切込線の一端から縁部に向かう第２の切込線と、第１の切込線の他端から縁部に向かう第３の切込線とにより囲まれ、第１の切込線と第２の切込線及び第１の切込線と第３の切込線は、それぞれ、三角形状の折線を対称軸として、対応する形状となっていることを特徴とする。
【００２５】
好ましくは、三角形状の折線に、ミシン目加工を施すようにしたことを特徴とする。
【００２６】
好ましくは、側面パネルと、底面パネルとの間の折線に、所定長毎に、切込と、ミシン目とを交互に設けることを特徴とする。
【考案の効果】
【００２７】
本考案によれば、互いに連接し各連接部分に折線を有する４つの側面パネル片と、４つの側面パネル片のそれぞれの下方に折線を介して連接する４つの底面パネル片と、４つの側面パネル片のそれぞれの上方に折線を介して連接する４つの蓋面パネル片とを備え、底面パネル片のうち互いに対面する２つの底面パネル片に、底面パネル片の縁部の中心を頂点とし、底面パネル片と側面パネル片との接線を底辺とする三角形状の折線を設けると共に、三角形状の折線の頂点に、曲線状の切欠を設けるようにしているので、底面パネル片を内側に押し込み、折線から折り畳むだけで、簡単に底面パネル片が形成できると共に、折り畳んだ部分の頂点が曲線状になるため、段ボール箱に物品を収納する際に、邪魔な突起物が生じることがない。
【００２８】
また、本考案によれば、曲線状の切欠は、縁部の中心と対向する第１の切込線と、第１の切込線の一端から縁部に向かう第２の切込線と、第１の切込線の他端から縁部に向かう第３の切込線とにより囲まれ、第１の切込線と第２の切込線及び第１の切込線と第３の切込線は、それぞれ、三角形状の折線を対称軸として、対応する形状となっているので、底面パネル片を折り畳んだときに、切込線が丁度重なるようになり、邪魔な突起物が生じない。
【００２９】
また、本考案によれば、三角形状の折線に、ミシン目加工を施しているので、底面パネルを簡単に折り畳むことができる。
【００３０】
さらに、側面パネルと、底面パネルとの間の折線に、所定長毎に、切込と、ミシン目とを交互に設けているので、底面パネルを簡単に折り畳むことができる。
【考案を実施するための最良の形態】
【００３１】
第１実施形態．
以下、本考案の実施の形態について図面を参照しながら説明する。図１は、本考案の実施形態の段ボール箱１の展開図を示すものである。
【００３２】
図１において、側面パネル片１１ａ及び１１ｂは、段ボール箱１を組み立てたときに互いに対面する長辺側の側面パネル片である。側面パネル片１２ａ及び１２ｂは、段ボール箱１を組み立てたときに互いに対面する短辺側の側面パネル片である。側面パネル片１１１ａ、１１２ａ、１１１ｂ、１１２ｂは互いに連接している。
【００３３】
側面パネル片１１ａと側面パネル片１２ａとの間には折線１３ａが設けられ、側面パネル片１２ａと側面パネル片１１ｂとの間には折線１３ｂが設けられ、側面パネル片１１ｂと側面パネル片１２ｂとの間には折線１３ｃが設けられる。側面パネル片１１ａの側縁には、接続フラップ１８ａが延設されており、側面パネル片１１ａと接続フラップ１８ａとの間には、折線１３ｄが設けられる。
【００３４】
側面パネル片１１ａの下側に底面パネル片２１ａが延設され、側面パネル片１１ａの上側に蓋面パネル片３１ａが延設される。側面パネル片１１ａと底面パネル片２１ａとの間には折線１４ａが設けられ、側面パネル片１１ａと蓋面パネル片３１ａとの間には折線１５ａが設けられる。
【００３５】
側面パネル片１２ａの下側に底面パネル片２２ａが延設され、側面パネル片１２ａの上側に蓋面パネル片３２ａが延設される。側面パネル片１２ａと底面パネル片２２ｂとの間には折線１４ｂが設けられ、側面パネル片１２ａと蓋面パネル片３２ａとの間には折線１５ｂが設けられる。
【００３６】
側面パネル片１１ｂの下側に底面パネル片２１ｂが延設され、側面パネル片１１ｂの上側に蓋面パネル片３１ｂが延設される。側面パネル片１１ｂと底面パネル片２１ａとの間には折線１４ｃが設けられ、側面パネル片１１ｂと蓋面パネル片３１ｂとの間には折線１５ｃが設けられる。
【００３７】
側面パネル片１２ｂの下側に底面パネル片２２ｂが延設され、側面パネル片１２ｂの上側に蓋面パネル片３２ｂが延設される。側面パネル片１２ｂと底面パネル片２２ｂとの間には折線１４ｄが設けられ、側面パネル片１２ｂと蓋面パネル片３２ｂとの間には折線１５ｄが設けられる。
【００３８】
底面パネル片２１ａと底面パネル片２２ａとの間には、折線２３ａが設けられる。底面パネル片２２ａと底面パネル片２１ｂとの間には、折線２３ｂが設けられる。底面パネル片２１ｂと底面パネル片２２ｂとの間には、折線２３ｃが設けられる。底面パネル片２１ａの側縁に接続フラップ１８ｂが延設され、底面パネル片２１ａと接続フラップ１８ｂとの間に折線２３ｄが設けられる。
【００３９】
蓋面パネル片３１ａと蓋面パネル片３２ａとの間は切断されており、蓋面パネル片３２ａと蓋面パネル片３１ｂとの間は切断されており、蓋面パネル片３１ｂと蓋面パネル片３２ｂとの間は切断されている。
【００４０】
底面パネル片２２ａの縁部の中点から折線１４ｂの両端との間に、折線２５ａ及び折線２５ｂがそれぞれ設けられる。そして、折線１４ｂと、折線２５ａ及び折線２５ｂとにより囲まれる三角形の頂点に、切欠４１ａが設けられる。
【００４１】
また、底面パネル片２２ｂの縁部の中点から折線１４ｄの両端との間に、折線２５ｃ及び折線２５ｄがそれぞれ設けられる。そして、折線１４ｂと、折線２５ｃ及び折線２５ｄとにより囲まれる三角形の頂点に、切欠４１ｂが設けられる。
【００４２】
図２（Ａ）及び図２（Ｂ）は、切欠４１ａ及び４１ｂを示すものである。切欠４１ａは、図２（Ａ）に示すように、底面パネル片２２ａの縁部５０ａの中心５１ａと対向する切込線６１ａと、切込線６１ａの一端から底面パネル片２２ａの縁部５０ａに向かう切込線６２ａと、切込線６１ａの他端から底面パネル片２２ａの縁部に向かう切込線６２ｂとにより囲まれ、底面パネル片２２ａの縁部５０ａの中心から連通している。切込線６１ａは、外側に凸の曲線状となっている。また、切込線６２ａは、折線２５ａを対称軸として、切込線６１ａと対応する形状で曲線状となっている。
【００４３】
同様に、切欠４１ｂは、図２（Ｂ）に示すように、底面パネル片２２ｂの縁部５０ｂの中心５１ｂと対向する切込線６１ｂと、切込線６１ｂの一端から底面パネル片２２ｂの縁部５０ｂに向かう切込線６２ｃと、切込線６１ｂの他端から底面パネル片２２ｂの縁部５０ｂに向かう切込線６２ｄとにより囲まれ、底面パネル片２２ｂの縁部５０ｂの中心から連通している。切込線６１ｂは外側に凸の曲線状となっている。また、切込線６２ｃは、折線２５ｃを対称軸として、切込線６１ｂと対応する形状で曲線状となっている。
【００４４】
図３は、本考案の第１実施形態の段ボール箱１の組み立て工程を示すものである。本考案の第１実施形態の段ボール箱１を組み立てる際には、接続フラップ１８ａ及び１８ｂと、側面パネル片１２ｂ及び底面パネル２２ｂの側縁とを接着し、図３（Ａ）に示すように、四角筒状の胴部を形成する。そして、底面パネル片２２ａ及び底面パネル片２２ｂを内側に押し込む。
【００４５】
底面パネル片１２ａには、折線２５ａ及び折線２５ｂが設けられ、底面パネル片２２ｂには、折線２５ｃ及び折線２５ｄが設けられているので、底面パネル片２２ａ及び底面パネル片２２ｂを内側に押し込むと、折線２５ａ及び折線２５ｂ、折線２５ｃ及び折線２５ｄに沿って、底面パネル片２２ａ及び底面パネル片２２ｂが折り畳まれる。
【００４６】
折線２５ａ及び折線２５ｂ、折線２５ｃ及び折線２５ｄに沿って、底面パネル片２２ａ及び底面パネル片２２ｂを折り畳んでいくと、図３（Ｂ）に示すように、底面パネル片２１ａ及び２１ｂが内側に閉じ、段ボール箱１の底面パネルが組み立てられる。底面パネル片２１ａ及び２１ｂが内側に閉じたら、図３（Ｃ）に示すように、底面パネル片２１ａと底面パネル片２１ｂとを、粘着テープ４０で固定する。なお、粘着テープ４０の代わりに、ステープルを用いるようにしてもよい。
【００４７】
このように、本考案の第１実施形態では、底面パネル片２２ａ及び底面パネル片２２ｂを内側に押し込み、折線２５ａ及び折線２５ｂ、折線２５ｃ及び折線２５ｄに沿って底面パネル片２２ａ及び底面パネル片２２ｂを折り畳み、底面パネル片２１ａ及び２１ｂが内側に閉じて、粘着テープ又はステープルで固定するだけで、簡単に底面パネルが形成できる。
【００４８】
また、本考案の第１の実施形態では、底面パネル片２２ａ及び２２ｂには、三角形状の折線の頂点に、曲線状の切欠４１ａ及び４１ｂが設けられている。このような切欠４１ａ及び４１ｂを設けると、底面パネルを組み立てたときに、段ボール箱１の内部に折り畳んだ部分の頂点が突出することがなくなる。
【００４９】
つまり、図４は、組み立てた段ボール箱１の内部を上から見たものである。図４に示すように、段ボール箱１の底面の内側には、折り畳んだ部分７１ａ及び７１ｂが生じる。この畳んだ部分７１ａ及び７１ｂは、折線２５ａ及び２５ｂ、折線２５ｃ及び２５ｄに沿って、底面パネル片２２ａ及び底面パネル片２２ｂを折り畳んだことにより生じるものである。
【００５０】
この考案の実施形態では、底面パネル片２２ａ及び２２ｂには、曲線を有する切欠４１ａ及び４１ｂが設けられている。このため、折り畳んだ部分７１ａ及び７１ｂの頂点が曲線状になる。このため、段ボール箱１に物品を収納する際に、邪魔な突起物が生じることがない。
【００５１】
また、前述したように、底面パネル片２２ａの切込線６２ａは、折線２５ａを対称軸として、切込線６１ａに対応する形状で曲線状となっており、切込線６２ｂは、折線２５ｂを対称軸として、切込線６１ａに対応する形状で曲線状となっている。このため、底面パネル片２２ａを折り畳んだときに、底面パネル片２２ａの切込線６２ｂ及び６２ｂは、切込線６１ａと丁度重なるようになる。同様に、底面パネル片２２ｂを折り畳んだときに、底面パネル片２２ｂの切込線６２ｃ及び６２ｄは、切込線６１ｂと丁度重なるようになる。
【００５２】
このように、底面パネル片２２ａ及び２２ｂには、曲線を有する切欠４１ａ及び４１ｂが設けられているため、底面パネルを組み立てたときに、折り畳んだ部分７１ａ及び７１ｂの頂点が丸められたようになり、邪魔にならない。
【００５３】
第２実施形態．
図５（Ａ）及び図５（Ｂ）は、本考案の第２実施形態を示すものである。この実施形態では、図５（Ａ）及び図５（Ｂ）に示すように、図２の折線２５ａ〜２５ｄの部分には、それぞれミシン目２６ａ〜２６ｄが設けられる。これにより、ミシン目２６ａ〜２６ｄの部分を容易に折り返すことができる。
【００５４】
第３実施形態．
図６は、本考案の第３実施形態を示すものである。この実施形態では、側面パネル片と、底面パネル片との間の折線に、所定長毎に、切込とミシン目とを交互に設けるようにしている。すなわち、図６は、図１の側面パネル片１１ａと底面パネル片２１ａとの間の折線１４ａ〜１４ｄの部分に、長さＬ１の切込８１と、長さＬ２のミシン目８２とが交互に設けられる。このように、側面パネル片１１ａと、底面パネル片２１ａとの間の折線に、所定長毎に、切込８１とミシン目８２とを交互に設けておくと、底面パネルを組み立てるときに、底面パネルの切込８１とミシン目８２の部分を簡単に折り畳むことができる。
【００５５】
なお、所定長毎に、切込８１と、ミシン目８２とを交互に設ける加工は、図１に示す側面パネル片１１ａ、１２ａ、１１ｂ、１２ｂと底面パネル片２１ａ、２２ａ、２１ｂ、２２ｂとの間の４つの折線１４ａ、１４ｂ、１４ｃ、１４ｄの全てに設けるようにしてもよいし、側面パネル片１１ａ、１１ｂと底面パネル片２１ａ、２１ｂとの長手方向の折線１４ａ、１４ｃのみ、又は、側面パネル片１２ａ、１２ｂと底面パネル片２２ａ、２２ｂとの長手方向の折線１４ｂ、１４ｄのみに設けるようにしてもよい。また、側面パネル片１１ａ、１２ａ、１１ｂ、１２ｂと底面パネル片２１ａ、２２ａ、２１ｂ、２２ｂとの間の折線ばかりでなく、他の部分の折線に、所定長毎に切込とミシン目とを交互に設けるようにしてもよい。
【００５６】
本考案は、上述した実施形態に限定されるものではなく、この考案の要旨を逸脱しない範囲内で様々な変形や応用が可能である。
【産業上の利用可能性】
【００５７】
本考案は、各種の物品の包装、輸送に用いられる段ボール箱として用いることができる。
【図面の簡単な説明】
【００５８】
【図１】本考案の第１実施形態の段ボール箱の展開図である。
【図２】本考案の第１実施形態の段ボール箱における切欠の説明図である。
【図３】本考案の第１実施形態の段ボール箱の組み立て工程の説明図である。
【図４】本考案の第１実施形態の段ボール箱の内部の説明図である。
【図５】本考案の第２実施形態の段ボール箱の説明図である。
【図６】本考案の第３実施形態の段ボール箱の説明図である。
【図７】従来の段ボール箱の一例の展開図である。
【図８】従来の段ボール箱の一例の組み立て工程の説明図である。
【図９】従来の段ボール箱の他の例の展開図である。
【図１０】従来の段ボール箱の他の例の組み立て工程の説明図である。
【図１１】従来の段ボール箱の他の例の内部の説明図である。
【符号の説明】
【００５９】
１  段ボール箱
１１ａ，１１ｂ，１２ａ，１２ｂ  側面パネル片
１３ａ〜１３ｄ，１４ａ〜１４ｄ，１５ａ〜１５ｄ  折線
１８ａ，１８ｂ  接続フラップ
２１ａ，２１ｂ，２２ａ，２２ｂ  底面パネル片
２３ａ〜２３ｄ  折線
２５ａ〜２５ｄ  三角形の折線
２６ａ〜２６ｄ  ミシン目
３１ａ，３１ｂ，３２ａ，３２ｂ  蓋面パネル片
４０  粘着テープ
４１ａ，４１ｂ  切欠
５０ａ，５０ｂ  縁部
５１ａ，５１ｂ  縁部の中心
６１ａ，６１ｂ  切込線（第１の切込線）
６２ａ，６２ｃ  切込線（第２の切込線）
６２ｂ，６２ｄ  切込線（第３の切込線）
８１  切込
８２  ミシン目
【図１】
0003132810.tif 000003
【図２】
0003132810.tif 000004
【図３】
0003132810.tif 000005
【図４】
0003132810.tif 000006
【図５】
0003132810.tif 000007
【図６】
0003132810.tif 000008
【図７】
0003132810.tif 000009
【図８】
0003132810.tif 000010
【図９】
0003132810.tif 000011
【図１０】
0003132810.tif 000012
【図１１】
0003132810.tif 000013